(57)【特許請求の範囲】
【請求項１】
開口部を有する筺体と、前記開口部を塞ぐための蓋部材と
を備えた電子機器において、
前記蓋部材は、
前記開口部を塞ぐ蓋部と、
前記蓋部の裏面に突設され、前記筺体に開設された孔を貫通している軸部と、
前記孔に対して前記蓋部とは反対側の位置にて、前記軸部に前記軸部の軸方向と交差する方向に突設された突起部と
を有し、
前記蓋部材は、前記蓋部により前記開口部を塞いだ押し込み状態と、前記蓋部が前記開口部から離間した引き出し状態との間で、前記軸部の軸方向に沿って往復移動が可能であり、
前記筺体には、前記押し込み状態と前記引き出し状態との間を前記蓋部材が往復移動する過程で、前記突起部を受け止めることによって前記蓋部材の前記軸部回りの回動を阻止し、前記引き出し状態で、前記蓋部材の前記軸部回りの回動阻止を解除しつつ、前記突起部を受け止めることによって前記軸部回りに回動した前記蓋部材の押し込みを阻止する第１の受け止め部が形成されている、
ことを特徴とする電子機器。
【請求項２】
前記筺体には、前記引き出し状態にある前記蓋部材の回動角度に拘わらず、前記突起部を受け止めることによって前記蓋部材の前記筺体からの抜け出しを阻止する第２の受け止め部が更に形成されている、請求項１に記載の電子機器。
【請求項３】
前記蓋部材の引き出し方向から見たときに、前記突起部は、前記蓋部材の回動角度に拘わらず、前記第２の受け止め部に重なっている、請求項２に記載の電子機器。
【請求項４】
前記筺体には、前記第１の受け止め部と前記第２の受け止め部との間に、前記突起部の前記軸部回りの回動を許容する空間が形成されており、前記引き出し状態において前記突起部は当該空間内に位置する、請求項１乃至請求項３のいずれか一つに記載の電子機器。
【請求項５】
前記蓋部材の引き出し方向から見たときに、前記突起部は、前記引き出し状態にある前記蓋部材の前記軸部回りの回動によって前記第２の受け止め部に重なる、請求項４に記載の電子機器。
【請求項６】
前記突起部は、前記軸部の軸方向に沿う側面を有し、
前記第１の受け止め部は、前記引き出し方向に沿う側面を有し、
前記押し込み状態と前記引き出し状態との間で前記蓋部材が往復移動する過程で、前記突起部の前記側面は、前記第１の受け止め部の前記側面に近接して対向または面接触する、
請求項１乃至請求項５のいずれか一つに記載の電子機器。
【請求項７】
近接して対向または面接触する前記突起部の前記側面と前記第１の受け止め部の前記側面との対が２つあり、前記２つの対のそれぞれに属する前記突起部の前記側面は互いに対向しており、前記突起部の当該２つの側面までの前記軸部の中心からの距離が異なっている、請求項６に記載の電子機器。
【請求項８】
前記第１の受け止め部は、前記押し込み状態と前記引き出し状態との間を前記蓋部材が往復移動する過程において前記突起部を収容する空間を形成しており、前記蓋部材の引き出し方向から見たときの前記突起部の外縁の最大幅が、前記引き出し方向から見たときの当該空間の最小幅よりも大きい、請求項１乃至請求項７のいずれか一つに記載の電子機器。
【発明の詳細な説明】
【技術分野】
【０００１】
本発明は、電子機器に関し、特にソケット等の開口部を塞ぐ蓋による筺体の傷付きを防止した電子機器に関する。
【背景技術】
【０００２】
携帯電話機やビデオカムコーダなどの電子機器には、メモリカード用のソケットや、充電器用のソケットが設けられている。従来からソケットには蓋部材が取り付けられており、ソケットに異物が入り込むことを防止している。
【０００３】
しかし、電子機器の筺体から蓋部材が分離可能であると、蓋部材を取り外した際の蓋部材の紛失や、ソケットからの蓋部材の脱落を招きやすい。そこで、かかる問題点を解決すべく、分離できない態様で蓋部材と筺体とを繋ぐ技術が提案されている。
【０００４】
具体的には、蓋部材は、ソケットを閉じる蓋部と、軸部と、突起部とを有する。軸部は、蓋部の裏面に突設されており、筺体に開設された孔を貫通している。突起部は、孔よりも大きく、軸部の先端に固定されている。このため、蓋部材を筺体から引き出しても、突起は孔を通過できない。よって、蓋部材を筺体から引き出した場合でも、蓋部材は筺体に繋がれたままとなり、蓋部材の紛失や脱落が防止できる。また、蓋部材と筐体とを繋ぐ他の技術が、以下の特許文献１及び２に開示されている。
【特許文献１】特開平９−２４９２４３号公報
【特許文献２】特開２００４−２１４９６９号公報
【発明の開示】
【発明が解決しようとする課題】
【０００５】
しかし、上記従来技術では、蓋部材を筺体から引き出した場合、引き出した蓋部材の位置に拘わらず蓋部材は軸部回りに回動してしまう。このため、引き出した蓋部材が筺体に接触してしまい、蓋部材によって筺体が傷付けられるという問題があった。
【０００６】
本発明は、上述した事情に鑑みてなされたものであり、電子機器において、ソケットなどの開口部を閉じるための蓋部材を筺体から引き出したときに、蓋部材で筺体が傷付けられるのを防止することが目的とされる。
【課題を解決するための手段】
【０００７】
本発明に係る電子機器は、開口部（１１ａ）を有する筺体（１）と、前記開口部を塞ぐための蓋部材（２）とを備え、次のことを特徴とする。前記蓋部材（２）は、前記開口部を塞ぐ蓋部（２１）と、軸部（２２）と、突起部（２３）とを有する。前記軸部（２２）は、前記蓋部の裏面（２１ａ）に突設され、前記筺体に開設された孔（１１ｂ）を貫通している。前記突起部（２３）は、前記孔に対して前記蓋部とは反対側の位置にて、前記軸部に前記軸部の軸方向（９２）と交差する方向に突設されている。前記蓋部材（２）は、前記蓋部により前記開口部を塞いだ押し込み状態と、前記蓋部が前記開口部から離間した引き出し状態との間で、前記軸部の軸方向に沿って往復移動が可能である。前記筺体（１）には、第１の受け止め部が形成されている。第１の受け止め部は、前記押し込み状態と前記引き出し状態との間を前記蓋部材が往復移動する過程で、前記突起部を受け止めることによって前記蓋部材の前記軸部回りの回動を阻止し、前記引き出し状態で、前記蓋部材の前記軸部回りの回動阻止を解除しつつ、前記突起部を受け止めることによって前記軸部回りに回動した前記蓋部材の押し込みを阻止する。
【０００８】
上記電子機器によれば、蓋部材の引き出しと押し込みとを可能にしつつ、押し込み状態と引き出し状態との間を蓋部材が往復移動する過程では、蓋部材の軸部回りの回動を第１の受け止め部で阻止することによって、蓋部と筐体との接触が回避される。そして、引き出し状態では、回動阻止が解除された蓋部材を軸部回りに回動することによって蓋部材の押し込みが阻止されるので、蓋部は筺体から離れた位置に留まり、以って蓋部と筺体との接触が回避される。
【０００９】
具体的構成において、前記筺体（１）には第２の受け止め部が更に形成されている。第２の受け止め部は、前記引き出し状態にある前記蓋部材（２）の回動角度に拘わらず、前記突起部（２３）を受け止めることによって前記蓋部材の前記筺体からの抜け出しを阻止する。より具体的には、前記蓋部材（２）の引き出し方向（９１）から見たときに、前記突起部（２３）は、前記蓋部材（２）の回動角度に拘わらず、前記第２の受け止め部に重なっている。
【００１０】
また、前記筺体（１）には、前記第１の受け止め部と前記第２の受け止め部との間に、前記突起部（２３）の前記軸部（２２）回りの回動を許容する空間（３３）が形成されており、前記引き出し状態において前記突起部は当該空間内に位置する。そして、前記蓋部材（２）の引き出し方向（９１）から見たときに、前記突起部（２３）は、前記引き出し状態にある前記蓋部材（２）の前記軸部（２２）回りの回動によって前記第２の受け止め部に重なる。
【００１１】
更には、前記突起部（２３）は、前記軸部の軸方向（９２）に沿う側面（２３１，２３２）を有し、前記第１の受け止め部は、前記引き出し方向（９１）に沿う側面（１３１，１４１）を有する。そして、前記押し込み状態と前記引き出し状態との間で前記蓋部材（２）が往復移動する過程で、前記突起部の側面（２３１，２３２）は、前記第１の受け止め部の前記側面（１３１，１４１）に近接して対向または面接触する。
【００１２】
具体的には、近接して対向または面接触する前記突起部（２３）の前記側面（２３１；２３２）と前記第１の受け止め部（１３，１４）の前記側面（１３１，１４１）との対が２つあり、前記２つの対のそれぞれに属する前記突起部の前記側面は互いに対向しており、前記突起部の当該２つの側面（２３１，２３２）までの前記軸部（２２）の中心からの距離（Ｌ３，Ｌ４）が異なっている。
【００１３】
他の具体的態様において、前記第１の受け止め部は、前記押し込み状態と前記引き出し状態との間を前記蓋部材が往復移動する過程において前記突起部を収容する空間（３２）を形成している。そして、前記蓋部材（２）の引き出し方向（９１）から見たときの前記突起部（２３）の外縁（２３３）の最大幅（Ｌ１）は、前記引き出し方向から見たときの当該空間の最小幅（Ｌ２）よりも大きい。
【発明の効果】
【００１４】
本発明に係る電子機器によれば、電子機器において、ソケットなどの開口部を閉じるための蓋部材を筺体から引き出したときに、蓋部材で筺体が傷付けられるのを防止することができる。
【発明を実施するための最良の形態】
【００１５】
以下、本発明の実施の形態につき、図面に沿って具体的に説明する。
【００１６】
ビデオカムコーダは、図１及び図２に示す如く、筐体１、蓋部材２及び画像表示パネル５を備える。画像表示パネル５は、図３に示す如く開くことができ、撮影しながらの撮影画像の確認を可能にしている。
【００１７】
筐体１には、図４及び図５に示す如く、メモリカード用のソケット１１ａが設けられている。蓋部材２は、ソケット１１ａの開閉が可能な状態で、筐体１に取り付けられている。尚、ソケット１１ａは、筐体１に設けられた開口部と把握することができる。
【００１８】
蓋部材２は、図６（ａ）に示す如く、ソケット１１ａを塞ぐための蓋部２１と、蓋部２１の裏面２１ａに突設された軸部２２と、突起部２３とを有する。軸部２２は、図７に示す如く、ソケット１１ａの近傍の位置にて筐体１に開設された孔１１ｂを貫通している。
【００１９】
突起部２３は、図７に示す如く、孔１１ｂを貫通した軸部２２に、孔１１ｂに対して蓋部２１とは反対側の位置にて、軸方向９２と交差する方向に突設されている。突起部２３には、図６（ａ）及び（ｂ）に示す如く、軸部２２の軸方向９２に沿う２つの側面２３１，２３２が形成されている。そして、図６（ｂ）に示される様に、軸部２２の中心から側面２３１までの距離Ｌ３と、当該中心から側面２３２までの距離Ｌ４とが異なっている。
【００２０】
蓋部材２は、図７に示す如く蓋部２によりソケット１１ａを塞いだ押し込み状態（以下、単に「押し込み状態」という。）と、図８及び図９に示す如く蓋部２１がソケット１１ａから離間した引き出し状態（以下、単に「引き出し状態」という。）との間で、軸部２２の軸方向９２に沿って往復移動が可能である。
【００２１】
図１０に示す如く、筐体１には側壁部１３が形成されており、筐体１内に回路基板１４が設置されている。尚、回路基板１４は筐体１に形成されていてもよい。そして、回路基板１４の側壁部１４１側の側面１４１と、側壁部１３の回路基板１４側の側面１３１とによって、回路機番１４と側壁部１３との間に空間３１，３２が形成されている。側面１３１，１４１のうち空間３２を形成する空間形成面１３１ａ，１４１ａは、軸方向９２に一致した蓋部材２の引き出し方向９１に沿っている。
【００２２】
また、筺体１のうち孔１１を形成している孔形成部１２と、回路基板１４及び側壁部１３とによって、回路基板１４及び側壁部１３と孔形成部１２との間に空間３３が形成されている。
【００２３】
空間３１には、ソケット１１ａに挿し込まれたメモリカードが収容される。空間３２には、突起部２３が移動可能な状態で収容される。空間３３は、突起部２３の軸部２２回りの回動を許容するための空間である。尚、「回動」には「回転」を含むものとし、以下でも同様である。
【００２４】
次に、蓋部材２の開閉を行ったときに、蓋部材２がどのような状態になるのかを、具体的に説明する。まず、蓋部材２が押し込み状態にある場合には、図７に示す如く、蓋部２１はソケット１１ａを閉じており、突起部２３は空間３２内に収容されている。
【００２５】
図１１は、押し込み状態にある蓋部材２の突起部２３を引き出し方向９１から見た図であり、突起部２３と空間形成面１３１ａ，１４１ａとの関係を示している。突起部２３の側面２３１は、側壁部１３の空間形成面１３１ａに近接して対向している。突起部２３の側面２３２は、回路基板１４の空間形成面１４１ａに近接して対向している。尚、側面２３１，２３２はそれぞれ、空間形成面１３１ａ，１４１ａに接触してもよい。
【００２６】
蓋部材２が押し込み状態から引き出し状態まで移動した場合には、図８に示す如く、蓋部２１が筺体１から離れて、閉じられていたソケット１１ａが開かれる。このとき軸部２２は、筺体１の外側へと孔１１ｂから引き出されていき、これに伴って、軸部２２に固定されている突起部２３は、空間３２内を孔１１ｂの方へと移動して空間３３に至る。
【００２７】
突起部２３が空間３２内を移動する際は、図１１に示した様に、突起部２３の側面２３１，２３２はそれぞれ、空間形成面１３１ａ，１４１ａに近接して対向（または接触）したままである。このため、蓋部材２を引き出す過程において、突起部２３の軸部２２回りの回動が側壁部１３及び回路基板１４によって阻止される。蓋部材２を押し込む場合も同様である。つまり、押し込み状態と引き出し状態との間で蓋部材２が往復移動する過程において、側壁部１３及び回路基板１４は、突起部２３を受け止めることによって蓋部材２の軸部２２回りの回動を阻止する。
【００２８】
よって、蓋部材２を筺体１から引き出す過程、及び蓋部材２を筐体１に押し込む過程のいずれにおいても、蓋部２１は、軸部２２回りにおいてはソケット１１ａを塞いでいたときと同じ位置のままであり、以って蓋部２１によって筺体１が傷付けられることを防止することができる。
【００２９】
そして、突起部２３が空間３２内を移動して空間３３に至ると、側壁部１３及び回路基板１４による突起部２３の回動阻止が解除される。これにより、軸部２２回り（方向９３）に蓋部材２を回動させることができるようになる。
【００３０】
また、空間３３に至った突起部２３は、図１２に示す如く、引き出し方向９１から見たときに孔形成部１２に重なっている。このため、引き出し状態にある蓋部材２を更に筺体１から引き出そうとすると、突起部２３が孔形成部１２に引っ掛かる。よって、引き出し状態にある蓋部材２が筺体１から抜け出して脱落するのを、孔形成部１２によって防止することができる。尚、図１２では、突起部２３と孔形成部１２との重なり部分を斜線で示しており、後述する図１４及び図１６においても同様である。
【００３１】
引き出し状態にある図８に示された蓋部材２を、軸部２２回り（方向９３）に蓋部材２を回動させた場合、図９に示す如く、蓋部２１は、筺体１から離れた位置で軸部２２回り（方向９３）に回動する。
【００３２】
図１３は、軸部２２回り（方向９３）に回動した蓋部材２の突起部２３を引き出し方向９１から見た図であり、突起部２３と空間形成面１３１ａ，１４１ａとの関係を示している。後述する図１５についても同様である。尚、図１３では、図９に示されている状態から軸部２２回り（方向９３）に約９０°回動した突起部２３が示されている。
【００３３】
引き出し状態で軸部２２回り（方向９３）に蓋部材２を回動した場合には、突起部２３は側壁部１３及び回路基板１４に重なる。尚、図１３では、側壁部１３及び回路基板１４と突起部２３との重なり部分を斜線で示しており、後述する図１５においても同様である。
【００３４】
よって、引き出し状態で軸部２２回り（方向９３）に回動した蓋部材を、筺体１へと押し込もうとすると、突起部２３は、側壁部１３の空間３３側の端１３２及び回路基板１４の空間３３側の端１４２に引っ掛かる。つまり、引き出し状態において、側壁部１３及び回路基板１４は、突起部２３を受け止めることによって軸部２２回りに回動した蓋部材２の押し込みを阻止する。
【００３５】
これにより、蓋部２１は筺体１から離れた位置に留まり、以って蓋部２１と筺体１との接触を回避することができる。よって、蓋部材２が引き出し状態に至った後も、蓋部２１で筺体１が傷付けられるのを防止することができる。尚、側壁部１３及び回路基板１４が、突起部２３を受け止めることによって蓋部材２の回動及び押し込みを阻止することに鑑みれば、側壁部１３及び回路基板１４は受け止め部と把握することができる。
【００３６】
そして、図１２に示した場合だけでなく、引き出し状態で軸部２２回り（方向９３）に蓋部材２を回動した場合にも、突起部２３は、図１４に示す如く孔形成部１２に重なる。よって、蓋部材２が筺体１から抜け出して脱落するのを、孔形成部１２によって防止することができる。つまり、孔形成部１２は、引き出し状態にある蓋部材２の回動角度に拘わらず、突起部２３を受け止めることによって蓋部材２の筺体１からの抜け出しを阻止する。尚、孔形成部１２が突起部２３を受け止めて蓋部材２の抜け出しを阻止することに鑑みれば、孔形成部１２は受け止め部と把握することができる。
【００３７】
図１１に示した様に、突起部２３が空間３２内の位置にある場合に、側面２３１，２３２のそれぞれが側面１３１，１４１の部分１３１ａ，１４１ａに近接して対向（または面接触）するビデオカムコーダでは、図１５に示す如く、図１２に示されている引き出し状態から９０°より小さい角度で、突起部２３を軸部２２回りに回動させてもよい。
【００３８】
なぜなら、側面２３１が、側面１３１の部分１３１ａに近接して対向（または面接触）しているので、空間３２から空間３３に至った突起部２３を軸部２２回り（方向９３）に少し回動させるだけで、引き出し方向９１から見たときの側面２３１の陰が側面１３１の部分１３１ａに交差するからである。側面２３２についても同様に、側面２３２の陰は側面１４１の部分１４１ａに交差する。
【００３９】
つまり、空間３２から空間３３に至った突起部２３を軸部２２回り（方向９３）に少し回動させるだけで、突起部２３は側壁部１３及び回路基板１４に重なる。よって、蓋部材２を引き出した後、軸部２２回り（方向９３）に少し回動させるだけで、蓋部材２は筺体１へと押し込むことができなくなり、以って蓋部２１で筺体１が傷付けられるのを防止することができる。
【００４０】
尚、図１２や図１４に示されるのと同様に、突起部２３を軸部２２回り（方向９３）に少し回動させた場合も、図１６に示す如く突起部２３は孔形成部１２に重なり、以って蓋部材２の抜け出しが孔形成部１２によって阻止される。
【００４１】
次に、図６（ｂ）に示される様に、突起部２３の２つの側面２３１，２３２までの軸部２２の中心からの距離Ｌ３，Ｌ４が異なっているビデオカムコーダが奏する効果について説明する。まず、側面２３１，２３２までの軸部２２の中心からの距離が等しい場合について考える。
【００４２】
この場合、図１２に示されている引き出し状態から突起部２３を、軸部２２回りに約１８０°回動させると、側面２３１は側面２３２があった位置に移動し、側面２３２は側面１３１があった位置に移動する。このため、突起部２３を回動させたにも拘らず、突起部２３は側壁部１３及び回路基板１４のいずれにも重ならず、蓋部材２の筐体１への押し込みを阻止することができない。
【００４３】
しかし、上述した図６（ｂ）に示されるビデオカムコーダによれば、軸部２２の中心から側面２３１，２３２までの距離Ｌ３，Ｌ４が異なっているので、図１７に示す如く、突起部２３を軸部２２回りに約１８０°回動させると、側面２３２は側壁部１３上に位置する。つまり、突起部２３が側壁部１３に重なった状態となる。
【００４４】
よって、突起部２３を軸部２２回りに１８０°回動した場合でも、突起部２３は側壁部１３に引っ掛かり、蓋部材２の筐体１への押し込みを阻止することができる。
【００４５】
尚、図１２や図１４に示されるのと同様に、突起部２３を軸部２２回りに約１８０°回動させた場合も、図１８に示す如く突起部２３は孔形成部１２に重なり、以って蓋部材２の抜け出しが孔形成部１２によって阻止される。
【００４６】
変形例１；
押し込み状態と引き出し状態との間で蓋部材２が往復移動する過程で、突起部２３を受け止めることによって蓋部材２の軸部２２回りの回動を阻止し、かつ引き出し状態で、突起部２３を受け止めることによって軸部２２回り（方向９３）に回動した蓋部材２の押し込みを阻止するためには、側壁部１３及び回路基板１４と突起部２３とは、図１７に示す如く関係であってもよい。
【００４７】
具体的には、引き出し方向９１から見たときの突起部２３の外縁２３３の最大幅Ｌ１が、引き出し方向９１から見たときの空間３２の最小幅Ｌ２より大きい。ここで、空間３２の最小幅Ｌ２は、側面１３１ａ，１４１ａの間の距離である。
【００４８】
本変形例に係る上記関係によれば、図１７に示されている様に、突起部２３の最大幅方向９４を、空間３２の最小幅方向９５に沿わせることで、突起部２３は側壁部１３及び回路基板１４に重なる。よって、突起部２３の外縁２３３の最大幅Ｌ１が、突起部２３が収容される空間３２の最小幅Ｌ２よりも大きいビデオカムコーダであれば、蓋部材２を引き出し状態にて軸部２２回り（方向９３）に回動させることによって、蓋部材２を筺体１へと押し込むことができなくなり、以って蓋部２１で筺体１が傷付けられるのを防止することができる。
【００４９】
変形例２；
押し込み状態と引き出し状態との間で蓋部材２が往復移動する過程で、突起部２３を受け止めることによって蓋部材２の軸部２２回りの回動を阻止し、かつ引き出し状態で、突起部２３を受け止めることによって軸部２２回り（方向９３）に回動した蓋部材２の押し込みを阻止するためには、ビデオカムコーダは図１８に示す如く態様であってもよい。
【００５０】
具体的にはビデオカムコーダは、側壁部１３及び回路基板１４に代えて受け止め部１５を備える。受け止め部１５は、側壁部１３及び回路基板１４と同様に孔形成部１２との間に空間３３を形成する。そして受け止め部１５には、孔１５ａが形成されている。尚、受け止め部１５は、筺体１１の一部として形成されてもよい。
【００５１】
孔１５ａは、押し込み状態と引き出し状態との間で蓋部材２が往復移動する過程で、突起部２３を移動可能な状態で収容する。そして、孔１５ａに収容された突起部２３は、その側面２３４全体が、孔１５ａの内面１５１に近接して対向、または面接触する。尚、図１８では、側面２３４全体が内面１５１に近接して対向している場合が示されている。
【００５２】
本変形例に係るビデオカムコーダによれば、上述したビデオカムコーダと同様に、蓋部２１で筺体１が傷付けられるのを防止することができる。つまり、孔１５に収容された突起部２３の側面２３４全体が、孔１５ａの内面１５１に近接して対向、または面接触するので、押し込み状態と引き出し状態との間で蓋部材２が往復移動する過程において、突起部２３の軸部２２回りの回動が、受け止め部１５によって阻止される。
【００５３】
しかも、孔１５ａ内の位置では突起部２３は、側面２３３全体が孔１５ａの内面１５１に近接して対向、または面接触しているので、孔１５ａから空間３３に至った突起部２３を軸部２２回り（方向９３）に少し回動させるだけで、突起部２３は受け止め部１５に重なる。よって、蓋部材２の筺体１へと押し込みが、受け止め部１５によって阻止される。
【００５４】
本変形例に係る技術は、引き出し方向９１から見たときの形状が楕円状の突起部２３に限らず、図１９に示す如く、他の形状を呈する突起部２３にも適用することができる。ただし、円状を呈する突起部２３は除く。尚、図１９では、十字状を呈した突起部２３が示されている。
【００５５】
変形例３；
上述したビデオカムコーダでは、押し込み状態と引き出し状態との間で蓋部材２が往復移動する過程での蓋部材２の回動の阻止と、引き出し状態での蓋部材２の押し込みの阻止とを、側壁部１３及び回路基板１４で実行していたが、いずれか一方のみで実行してもよい。
【００５６】
また、側壁部１３及び回路基板１４の少なくともいずれか一方で、往復移動の過程での蓋部材２の軸部２２回りの回動を阻止し、側壁部１３及び回路基板１４とは異なる部材で、引き出し状態での蓋部材２の押し込みを阻止してもよい。
【００５７】
尚、本発明の各部構成は上記実施の形態に限らず、特許請求の範囲に記載の技術的範囲内で種々の変形が可能である。例えば、メモリカード用のソケット１１ａ以外のソケット、例えば充電器用のソケットにも、上述した技術を適用することができる。また、ビデオカムコーダ以外の種々の電子機器、例えば携帯電話機などにも、上述した技術を適用することができる。
【図面の簡単な説明】
【００５８】
【図１】本発明の実施の形態に係る電子機器であるビデオカムコーダを前面側から見た斜視図である。
【図２】図１に示されたビデオカムコーダを背面側から見た斜視図である。
【図３】画像表示パネルを開いたビデオカムコーダを背面側から見た斜視図である。
【図４】ビデオカムコーダの一部の拡大図である。
【図５】ビデオカムコーダの一部の拡大図である。
【図６】（ａ）蓋部材の拡大斜視図と（ｂ）突起部を軸方向から見た図である。
【図７】押し込み状態にある蓋部材を示した斜視図である。
【図８】押し込み状態から引き出し状態まで移動した蓋部材を示した斜視図である。
【図９】引き出し状態において軸部回りに回動した蓋部材を示した斜視図である。
【図１０】ビデオカムコーダの一部の分解斜視図である。
【図１１】図７に示された蓋部材の突起部を引き出し方向から見た図である。
【図１２】図８に示された蓋部材の突起部を引き出し方向から見た図である。
【図１３】図９に示された蓋部材の突起部を引き出し方向から見た図である。
【図１４】図９に示された蓋部材の突起部を引き出し方向から見た図である。
【図１５】９０°より小さい角度で回動した突起部を引き出し方向から見た図である。
【図１６】９０°より小さい角度で回動した突起部を引き出し方向から見た図である。
【図１７】軸部回りに１８０°回動した突起部を引き出し方向から見た図である。
【図１８】軸部回りに１８０°回動した突起部を引き出し方向から見た図である。
【図１９】突起部を引き出し方向から見た図である。
【図２０】変形例２に係るビデオカムコーダを示した図である。
【図２１】変形例２に係るビデオカムコーダを示した図である。
【符号の説明】
【００５９】
１  筺体
１１ａ  ソケット（開口部）
１１ｂ  孔
１２  孔形成部（第２の受け止め部）
１３  側壁部（第１の受け止め部）
１３１  側壁部の側面
１４  回路基板（第１の受け止め部）
１４１  回路基板の側面
２  蓋部材
２１  蓋部
２１ａ  蓋部の裏面
２２  軸部
２３  突起部
２３１，２３２  突起部の側面
２３３  突起部の外縁
３２，３３  空間
９１  引き出し方向
９２  軸部の軸方向
Ｌ１  外縁（２３３）の最大幅
Ｌ２  空間（３２）の最小幅
Ｌ３，Ｌ４  中心からの距離
【図１】
0005058029.tif 000002
【図２】
0005058029.tif 000003
【図３】
0005058029.tif 000004
【図４】
0005058029.tif 000005
【図５】
0005058029.tif 000006
【図６】
0005058029.tif 000007
【図７】
0005058029.tif 000008
【図８】
0005058029.tif 000009
【図９】
0005058029.tif 000010
【図１０】
0005058029.tif 000011
【図１１】
0005058029.tif 000012
【図１２】
0005058029.tif 000013
【図１３】
0005058029.tif 000014
【図１４】
0005058029.tif 000015
【図１５】
0005058029.tif 000016
【図１６】
0005058029.tif 000017
【図１７】
0005058029.tif 000018
【図１８】
0005058029.tif 000019
【図１９】
0005058029.tif 000020
【図２０】
0005058029.tif 000021
【図２１】
0005058029.tif 000022